(57)【特許請求の範囲】
【請求項１】
引戸の上部に固定され側面に窓部が設けられたケースと、前記ケース内にあって一部が窓部から突出するガイド部材と、ケース内にあって外部からの操作によって移動可能なスライダーとを有し、前記ガイド部材はスライダーとリンクし、スライダーの位置に応じて突出量を調節可能である引戸用レールガイドにおいて、ガイド部材は、窓部から突出する凸部を備えた板バネを有し、スライダーは、ケース内で移動可能であると共にケースの窓部と少なくとも一部が重なり合う窓部を有し、前記板バネの凸部は、スライダーとケースの窓部からケースの外部に突出し、スライダーを移動することにより、スライダーとケースの窓部の重なり部分が増減し、ガイド部材の突出量が変化することを特徴とする引戸用レールガイド。
【請求項２】
引戸の上部に固定され側面に窓部が設けられたケースと、前記ケース内にあって一部が窓部から突出するガイド部材と、ケース内にあって外部からの操作によって移動可能なスライダーとを有し、前記ガイド部材はスライダーとリンクし、スライダーの位置に応じて突出量を調節可能である引戸用レールガイドにおいて、ガイド部材は、ガイドレールのガイド溝と当接可能な当接部及び板バネを備え、前記板バネには勾配部が設けられ、スライダーは、前記板バネの勾配部と接する絞り部を有し、前記当接部はケースの窓から外部に突出し、スライダーの移動に応じて板バネの勾配部と絞り部との接触位置が変化し、板バネが変形してガイド部材の突出量が変化することを特徴とする引戸用レールガイド。
【請求項３】
請求項１、２のいずれかに記載の引戸用レールガイドにおいて、ガイド部材は、ローラを有し、該ローラがガイドレールのガイド溝と当接可能であることを特徴とする引戸用レールガイド。
【請求項４】
請求項３に記載のローラ内にブッシュを挿入し、ローラとブッシュとの間にグリースを介在させたことを特徴とする引戸用レールガイド。
【請求項５】
請求項１から請求項４のいずれかに記載のスライダーを、ケースと連通するネジによって連結し、ネジの回動に応じてスライダーが移動することを特徴とする引戸用レールガイド。
【請求項６】
請求項１から請求項５のいずれかに記載の引戸用レールガイドを案内するガイド溝を有するガイドレールであって、ガイド溝は、端部近傍で狭く形成されていることを特徴とするガイドレール。
【発明の詳細な説明】
【０００１】
【発明の属する技術分野】
本発明は、上端部がガイドレールのガイド溝内に案内されて移動する引戸に使用する引戸用レールガイドに関するものであり、より詳細には、引戸の振れを防止し、引戸の開閉を円滑に行うためのガイドレールに関するものである。
【０００２】
【従来の技術】
図８及び図９に示すように引戸１は、上端部がガイドレール１００の上側に形成したガイド溝１０１内に案内され、ガイド溝１０１の両端部に立設した縦枠１０２の間で移動して開閉する。
【０００３】
【発明が解決しようとする課題】
一般的に、引戸１とガイドレール１００とは、別々の工場で作られ、建築現場において、両者が組み合わされる。従って引戸１の厚さと、ガイドレール１００のガイド溝１０１の幅は、必ずしも理想的な関係とはならない。
実際の両者の関係を説明すると、引戸１の上端部とガイド溝１０１とが密着していると、引戸１がスムーズに移動することができず、開閉しにくいだけでなく、引戸１をガイド溝１０１から着脱することができないので、引戸１の上端部とガイド溝１０１との隙間は安全を見て大きめに作られる。
【０００４】
そのため従来技術においては、引戸１の上端部がガイド溝１０１内でがたつくとき、開閉に円滑さを欠く。また引戸１ががたつくので、騒音が生じたり、隙間風が入ったりするといった不具合もある。
さらに引戸１が勢いよく移動すると、引戸１は縦枠１０２に衝突し、大きな衝突音が発生することもある。
【０００５】
そこで、本発明は引戸が縦枠に衝突して大きな衝突音が発生することがなく、あるいは引戸がガイドレールの案内溝内でがたつかないようにした引戸用レールガイド及びガイドレールを提供することを目的とする。
【０００６】
【課題を解決するための手段】
上記の課題を解決するための請求項１記載の発明は、引戸の上部に固定され側面に窓部が設けられたケースと、前記ケース内にあって一部が窓部から突出するガイド部材と、ケース内にあって外部からの操作によって移動可能なスライダーとを有し、前記ガイド部材はスライダーとリンクし、スライダーの位置に応じて突出量を調節可能である引戸用レールガイドにおいて、ガイド部材は、窓部から突出する凸部を備えた板バネを有し、スライダーは、ケース内で移動可能であると共にケースの窓部と少なくとも一部が重なり合う窓部を有し、前記板バネの凸部は、スライダーとケースの窓部からケースの外部に突出し、スライダーを移動することにより、スライダーとケースの窓部の重なり部分が増減し、ガイド部材の突出量が変化することを特徴とする引戸用レールガイドである。
【０００７】
上記の請求項１記載の発明によれば、ケース内で移動するスライダーの位置によって、ケースの窓部から突出するガイド部材の分量を変えることができる。したがって、引戸の上端部を案内するガイド溝の幅に対応して、スライダーを移動させ、ガイド部材がガイド溝の壁面と理想的な隙間となる様に調節することができる。すなわち、ガイド溝の幅が広いときはガイド部材が突出する分量を大きくし、ガイド溝の幅が狭いときはガイド部材が突出する分量を小さくする。
【０００８】
上記の発明によれば、ケースの窓部とスライダーに形成した窓部とが重なっているときは、大きな窓が形成され、その窓からガイド部材の凸部が大きく突出する。スライダーが移動することにより、スライダーの窓部がケースの窓部からずれると、窓が小さくなり、ガイド部材の凸部はその窓から突出する分量が小さくなる。
前記した凸部は、板バネを折り曲げることによって形成しても良く、また板バネに凸状の部材を取り付けても良い。
【０００９】
上記の課題を解決するための請求項２に記載の発明は、引戸の上部に固定され側面に窓部が設けられたケースと、前記ケース内にあって一部が窓部から突出するガイド部材と、ケース内にあって外部からの操作によって移動可能なスライダーとを有し、前記ガイド部材はスライダーとリンクし、スライダーの位置に応じて突出量を調節可能である引戸用レールガイドにおいて、ガイド部材は、ガイドレールのガイド溝と当接可能な当接部及び板バネを備え、前記板バネには勾配部が設けられ、スライダーは、前記板バネの勾配部と接する絞り部を有し、前記当接部はケースの窓から外部に突出し、スライダーの移動に応じて板バネの勾配部と絞り部との接触位置が変化し、板バネが変形してガイド部材の突出量が変化することを特徴とする引戸用レールガイドである。
【００１０】
上記の発明によれば、ガイド部材の板バネがスライダーの位置によって変形するため、ガイド部材の突出量が変化する。
【００１１】
上記の課題を解決するための請求項３に記載の発明は、請求項１、２のいずれかに記載の引戸用レールガイドにおいて、ガイド部材は、ローラを有し、該ローラがガイドレールのガイド溝と当接可能であることを特徴とする引戸用レールガイドである。
【００１２】
上記の課題を解決するための請求項４記載の発明は、請求項３に記載のローラ内にブッシュを挿入し、ローラとブッシュとの間にグリースを介在させたことを特徴とする引戸用レールガイドである。
【００１３】
上記の発明によれば、ローラはブッシュを軸にして回転する。しかもローラとブッシュとの間にはグリースを介在させたことにより、ローラはある程度の抵抗を受けながら回転する。したがって、ローラがガイドレールのガイド溝の壁面と当接すると、弱いブレーキがかけられた状態となって引戸は移動する。
【００１４】
上記の課題を解決するための請求項５の発明は、請求項１から請求項４のいずれかに記載のスライダーを、ケースと連通するネジによって連結し、ネジの回動に応じてスライダーが移動することを特徴とする引戸用レールガイドである。
【００１５】
上記の発明によれば、スライダーがケースと連通するネジによって連結されたことにより、ネジを回すことによってスライダーはケース内で移動し、かつその位置で動くことがないように固定される。
【００１６】
上記の課題を解決するための請求項６に記載の発明は、請求項１から請求項５のいずれかに記載の引戸用レールガイドを案内するガイド溝を有するガイドレールであって、ガイド溝は、端部近傍で狭く形成されていることを特徴とするガイドレールである。
【００１７】
上記の発明によれば、ガイド溝の端部の幅を狭めたことにより、引戸がガイドレールの端部へ移動すると、ガイド部材がガイド溝の壁面と当接し、引戸はブレーキがかけられたようになり、ガイドレールの縦枠に勢いよく衝突することがなくなる。
【００１８】
【発明の実施の形態１】
本発明に係る引戸用レールガイドの第１の実施の形態を図１から図３を参照しながら説明する。図１は、本発明の第１の実施の形態に係る引戸用レールガイドの一部断面斜視図である。図２は、本発明の第１の実施の形態に係る引戸用レールガイドの平面断面図である。図３は、本発明の第１の実施の形態に係る引戸用レールガイドの平面断面図である。
【００１９】
本発明の第１の実施の形態に係る引戸用レールガイドは、図１に示すように引戸１の上端面の両端部に箱状のケース１０を設置し、そのケース１０内にスライダー２０とガイド部材３０とを収納するものである。ケース１０の長手側の正面には窓部１１を形成する。ケースは、枠形状を持つものであれば足り、上面部（上蓋）は必ずしも必要無い。
【００２０】
スライダー２０は平面形状が「コ」字形であり、幅がケース１０の内法よりも僅かに小く、またスライダー２０の長さは、ケース１０の長さよりも短く、ケース１０内で長手方向に移動することができるようにしたものである。スライダー２０の短辺部２１には雌ネジ２４を形成し、ケース１０の側面側を貫通するネジ１２がその雌ネジに螺合する。ネジ１２は、図示しないＣリングによって、ケース１０に固定されており、ケース１０に対して回転可能であるが、軸方向には移動しない。したがってネジ１２を回すことにより、スライダー２０はケース１０内を移動して、任意の位置で移動しないように固定される。ネジ１２の頭部はケース１０の側面に露出するため、本ケース１０を引戸１の上端面に設置し、本引戸用レールガイドがガイド溝に入れられた状態で、外部からネジ１２を回すことができ、スライダー２０を移動させることができる。
【００２１】
また、スライダー２０の長辺部２２にもケース１０の窓部１１と同じ大きさの窓部２３を形成し、スライダー２０が移動することにより、ケース１０及びスライダー２０の両窓部１１，２３によって形成される窓Ｗの重なり部分の大きさを変えることができるようにする。すなわち、ケース１０の窓部１１とスライダー２０の窓部２３とが完全に重なった状態では、窓Ｗは最も大きくなり、スライダー２０が移動することにより、ケース１０の窓部１１とスライダー２０の窓部２３とがずれると、窓Ｗは小さくなる。
【００２２】
このように大きさが変わる窓Ｗからガイド部材３０が突出するようにする。ガイド部材３０は帯状の板バネ３１を平面形状が「変形コ」字形に成形したもので、短辺部３２はリベット１３によってケース１０に固定し、開放側は、片持ち状撓むことができる。ガイド部材３０の長辺部３３の中央部は、「へ」の字形に折り曲げられて凸部３４が形成されている。すなわち本実施形態では、凸部３４は、勾配を有する形状に折り曲げられて形成され、この折り曲げ部分が上記の窓Ｗから突出する。
凸部３４は、スライダー２０が移動して窓Ｗが大きくなると、図２の様に２枚の長辺部３３の間隔がバネ力によって拡開し、突出量が大きくなる。逆に、図３の様に窓Ｗが小さくなると、凸部３４は勾配に添ってスライダー２０の窓部２３の縁に押し下げられて、突出量が小さくなる。
【００２３】
他方、このような引戸用レールガイドを外嵌するガイドレール４０は、図２に示すように、長いガイド溝４１の幅が端部において徐々に狭くなるように形成する。この狭くなったガイド溝４１の壁面に、上記のガイド部材３０の凸部３４が当接するように、凸部３４の突出量を調整する。
【００２４】
本発明の第１の実施の形態に係る引戸用レールガイド及びガイドレール４０は以上のように構成し、つぎにガイド部材３０の突出量の調整方法について図２及び図３を参照しながら説明する。
【００２５】
本発明の第１の実施の形態に係る引戸用レールガイドは、引戸１の上端面の両端部にケース１０を固定し、その引戸用レールガイドをガイドレール４０のガイド溝４１に入れた状態でガイド部材３０の凸部３４の突出量を調整する。その突出量は作業者が引戸１の側面からネジ１２を回し、スライダー２０を移動させることによって調整することができる。ネジ１２は引戸１を開扉することによって、ネジ穴にドライバーを挿し込んで回すことができる。
【００２６】
ガイドレール４０のガイド溝４１の幅が広いときは、窓Ｗを大きく開けることにより、ガイド部材３０の突出量を大きくする。図２に示すように、スライダー２０の窓部２３の位置とケース１０の窓部１１の位置とが一致すると、窓Ｗは最も大きく開いた状態となり、凸部３４の突出量が最大となる。
【００２７】
ガイド溝４１の幅が狭いときは、ガイド部材３０の突出量を小さくする。そのためネジ１２を回すことにより、スライダー２０を移動させ、図３に示すように、スライダー２０の窓部２３の位置とケース１０の窓部１１の位置とがずれるようにする。すると、窓Ｗが小さくなり、「ヘ」字形の凸部３４がスライダー２０の窓部２３の縁に押し下げられ、凸部３４が窓Ｗから突出する量が小さくなる。
【００２８】
また、スライダー２０はネジ１２を回すことによって、連続的に移動させることができるため、ガイド溝４１の幅に応じて、凸部３４は任意の分量だけ突出させることができる。ガイドレール４０に形成したガイド溝４１の幅は両端部において徐々に狭くなるため、その狭くなり始めるガイド溝４１の壁面に、突出した凸部３４が当接するように調整する。すなわち、引戸１をガイドレール４０のガイド溝４１に装着した状態で、凸部３４がガイド溝４１の大部分の平行部と接触しない限界の突出量となるように調節する。
【００２９】
そうすると、引戸１は完全に閉扉又は開扉される直前まで、突出した両方の凸部３４ともガイド溝４１の側面と当接しないか、あるいは一方の凸部３４のみがガイド溝４１の側面と当接するため、スムーズに移動する。すなわち引戸１を移動させる際に引戸１が振れると、凸部３４がガイド溝４１の内側と当接し、板バネ３１の弾力性によって、引戸１をガイド溝４１の中央に押し戻す。そのため引戸１は、がたつくことなく、円滑に開閉される。
【００３０】
そして引戸１が完全に閉扉又は開扉される直前においては、凸部３４が狭くなるガイド溝４１の側面と当接し、さらに引戸１がガイドレール４０の縦枠１０２（図８参照）に接近するにつれ、凸部３４が窓Ｗ内に押し込められ、引戸１にブレーキがかかった状態となる。したがって、引戸１はガイドレール４０の縦枠に勢いよく衝突することがなく、大きな衝突音も発生しないで閉扉及び開扉することができる。
【００３１】
以上の実施形態においては、凸部３４は板バネ３１を「へ」の字に折り曲げることによって構成したが、他の部材を板バネに取り付けることによって凸部を構成することも可能である。いずれの方策によって、凸部を構成する場合であっても、凸部の出入りが円滑となる様に、窓部１１，２３と当接する部位に勾配を設けることが望ましい。
【００３２】
【発明の実施の形態２】
本発明に係る引戸用レールガイドの第２の実施の形態を図４から図７を参照しながら説明する。図４は、本発明の第２の実施の形態に係る引戸用レールガイドの平面断面図である。図５は、本発明の第２の実施の形態に係る引戸用レールガイドの平面断面図である。図６は、本発明の第２の実施の形態に係る引戸用レールガイドを構成するガイド部材の斜視図である。図７は、本発明の第２の実施の形態に係る引戸用レールガイドを構成するローラの変形例の断面図である。
【００３３】
本発明の第２の実施の形態に係る引戸用レールガイドは、図４及び図５に示すように引戸１の上端面の両端部に設置したケース５０内に収納するガイド部材６０がローラ（当接部）６５を備えたものであることを特徴とする。ケース５０は上記の第１の実施の形態と同様、引戸１の幅よりも狭いもので、引戸１の上端面の両端部に設置する。ケース５０の側面には窓部５１を形成し、この窓部５１から前記ローラ６５が突出するようにする。
【００３４】
ローラ６５は図６に示すような平面形状が「変形コ」字形の板バネ６１に突設した突片６２に取り付ける。板バネ６１の短辺部６９ａはケース５０に固定され、両端側は開放されており、板バネ６１の長辺部６９ｂは片持ち状に撓む。板バネ６１の、長辺部６９ｂにはケース５０の窓部５１に対応する部位に突片６２を形成する。突片６２はローラ６５を挟むように板バネ６１の上下縁から外側に突設し、ローラ６５の軸孔に係合する突起６２ａを突設する。このような突片６２を形成する板バネ６１の長辺部６９ｂの中間部６３は間隔が狭く、この中間部６３から両端部の方へ次第に拡開するテーパ部（勾配部）６４を形成する。このテーパ部６４には図４及び図５に示すように、スライダー７０の絞り部７１が当接する。
【００３５】
スライダー７０の絞り部７１は「コ」字形状の先端部を内側に折曲して形成し、スライダー７０が移動することにより、その絞り部７１が板バネ６１のテーパ部６４に当接する位置が変わる。すなわち、スライダー７０の絞り部７１が図４に示すように、突片６２側のテーパ部６４に当接すると、ガイド部材６０のバネ力によって、突片６２を形成した中間部６３の間隔が拡がり、スライダー７０の絞り部７１が図５に示すように、テーパ部６４の両端部寄りに当接すると、バネ力に抗して中間部６３の間隔が狭くなる。
【００３６】
そして前記した実施形態と同様に、スライダー７０の中間部７２には雌ネジを形成し、この雌ネジがケース５０の側面を貫通するネジ５２と螺合し、ネジ５２を回すことによってスライダー７０は、任意の位置で固定される。第２の実施の形態におけるスライダー７０には、第１の実施の形態のような窓部は無い。
【００３７】
上記のような引戸用レールガイドを嵌めるガイドレール４０は、第１の実施の形態において説明したように、ガイド溝４１の両端部が狭くなったものとする。
【００３８】
本発明の第２の実施の形態に係る引戸用レールガイドは以上のように構成し、つぎに使用方法について図４及び図５を参照しながら説明する。本発明の第２の実施の形態に係る引戸用レールガイドも、引戸１の上端面の両端部に固定し、ガイドレール４０のガイド溝４１内に入れた状態で調整する。
【００３９】
ガイド溝４１の幅が広いときは、図４に示すようにスライダー７０の絞り部７１が、ガイド部材６０のテーパ部６４の中間部６３寄りに当接し、中間部６３の間隔を広くする。すると、ローラ６５が窓部５１から突出する分量が大きくなる。
【００４０】
ガイド溝４１の幅が狭いときは、図５に示すようにスライダー７０の絞り部７１が、ガイド部材６０のテーパ部６４の端部寄りに当接し、中間部の６３の間隔を狭くする。すると、ローラ６５が窓部５１から突出する分量が小さくなる。
【００４１】
このように、ローラ６５の窓部５１からの突出量は、先の実施形態と同様であり、引戸１をガイドレール４０のガイド溝４１に装着した状態で、ローラ６５がガイド溝４１の大部分の平行部と接触しない限界の突出量となるように調節する。
【００４２】
その結果、引戸１を移動させる際に引戸１が振れると、ローラ６５がガイド溝４１の内側と当接し、板バネ６１の弾力性によって、引戸１をガイド溝４１の中央に押し戻す。そのため引戸１は、がたつくことなく、円滑に開閉される。
また引戸１が勢いよく移動しても、引戸１がガイドレール４０の縦枠に当接する直前において、ローラ６５がガイド溝４１の壁面に当接する。すると、ローラ６５が回転しながら引戸１にブレーキをかけた状態となり、引戸１は勢いよくガイドレール４０の縦枠に衝突することがない。したがって、引戸１は大きな衝突音が発生することなく、開閉することができる。
【００４３】
引戸用レールガイドのブレーキ機能をより強力にすることを希望する場合には、図７に示すように、ローラ６５の軸孔に筒状のブッシュ６６を挿入し、ローラ６５とブッシュ６６との間に、グリース好ましくは固めのグリース（図示せず）を介在させることが望ましい。ブッシュ６６は鍔６６ａを形成した筒形状のものとし、鍔６６ａにローラ６５が支承されるようにする。そして、ブッシュ６６内には鍔付きのピン６７を挿入し、ピン６７の鍔６７ａがブッシュ６６を支承し、ピン６７の他端部は突片６８の穿孔部６８ａにかしめて固定する。したがって、この突片６８は、ローラ６５を両側から挟むものではなく、突片６８とピン６７とが一体化されてローラ６５を挟んだ状態とする。
【００４４】
このようにローラ６５はグリースを介在した状態で、ブッシュ６６を軸にして回転するため、ダンパーが効いた状態となる。すなわち、ローラ６５がガイドレール４０のガイド溝４１の壁面に当接すると、抵抗力を受けながら回転する。したがって、引戸１はブレーキがかかった状態となって、ガイドレール４０の縦枠に当接し、大きな衝突音が発生することがなくなる。
【００４５】
なお、本発明は上記の実施の形態に限定することなく実施することができる。例えば、ガイドレールは端部のガイド溝の幅を狭めることなく、均一の幅とすることもできる。この場合、ガイド部材は常にガイド溝に当接するようにすることにより、引戸はがたつくことなく開閉することができる。
【００４６】
【発明の効果】
本発明によれば、引戸と、ガイドレールとの隙間を理想的な状態に調節することができる。そのため本発明によれば、引戸をがたつき無く円滑に開閉することができる効果がある。
また請求項６記載の発明によると、引戸が勢いよく移動しても、ガイドレールの縦枠近くで減速されて強く衝突することがなくなる。したがって、大きな衝突音が発生することがなく、特に静寂な場所での利用が促進される。
【図面の簡単な説明】
【図１】本発明の第１の実施の形態に係る引戸用レールガイドの一部断面斜視図である。
【図２】本発明の第１の実施の形態に係る引戸用レールガイドの平面断面図である。
【図３】本発明の第１の実施の形態に係る引戸用レールガイドの平面断面図である。
【図４】本発明の第２の実施の形態に係る引戸用レールガイドの平面断面図である。
【図５】本発明の第２の実施の形態に係る引戸用レールガイドの平面断面図である。
【図６】本発明の第２の実施の形態に係る引戸用レールガイドを構成するガイド部材の斜視図である。
【図７】本発明の第２の実施の形態に係る引戸用レールガイドを構成するローラの変形例の断面図である。
【図８】一般的な引戸及びガイドレールの正面図である。
【図９】一般的な引戸及びガイドレールの側面図である。
【符号の説明】
１  引戸
１０  ケース
１１  窓部
１２  ネジ
２０  スライダー
２３  窓部
３０  ガイド部材
３１  板バネ
３４  凸部
４０  ガイドレール
４１  ガイド溝
５０  ケース
５１  窓部
５２  ネジ
６０  ガイド部材
６１  板バネ
６５  ローラ（当接部）
６６  ブッシュ
７０  スライダー
【図１】
0003623627.tif 000002
【図２】
0003623627.tif 000003
【図３】
0003623627.tif 000004
【図４】
0003623627.tif 000005
【図５】
0003623627.tif 000006
【図６】
0003623627.tif 000007
【図７】
0003623627.tif 000008
【図８】
0003623627.tif 000009
【図９】
0003623627.tif 000010